(57)【要約】    【課題】  広画角、高ズーム比で迅速なフォーカスが容易で、しかも像ぶれ補正に際しても光学性能を良好に維持することができる、小型のズームレンズを得ること。    【解決手段】  正の第１レンズ群、負の第２レンズ群、正の第３レンズ群、負の第４レンズ群、負の第５レンズ群と、後群より構成され、ズーミングに際して隣り合うレンズ群の間隔が変化するズームレンズであって、広角端から望遠端へのズーミングに際して第４レンズ群と第５レンズ群の間隔が増大し、無限遠から近距離へのフォーカシングに際して第４レンズ群は像側へ移動し、第３レンズ群は、物体側より像側へ順に配置された、正の第３Ａ群、負の第３Ｂ群、正の第３Ｃ群より構成され、像ぶれ補正に際して第３Ｂ群は光軸に対し垂直方向の成分を持つ方向に移動すること。【選択図】    図１
2017134302.tif 000002
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、負の屈折力の第５レンズ群、１つ以上のレンズ群を含む後群より構成され、ズーミングに際して隣り合うレンズ群の間隔が変化するズームレンズであって、
広角端から望遠端へのズーミングに際して、前記第４レンズ群と前記第５レンズ群の間隔が増大し、
無限遠から近距離へのフォーカシングに際して前記第４レンズ群は像側へ移動し、
前記第３レンズ群は、物体側より像側へ順に配置された、正の屈折力の第３Ａ群、負の屈折力の第３Ｂ群、正の屈折力の第３Ｃ群より構成され、像ぶれ補正に際して前記第３Ｂ群は光軸に対し垂直方向の成分を持つ方向に移動することを特徴とするズームレンズ。
【請求項２】
前記後群は正の屈折力のレンズ群ＬＰを有し、該レンズ群ＬＰの焦点距離をｆｒ、広角端における全系の焦点距離をｆｗとするとき、
（但し、後群が正の屈折力のレンズ群を複数含むときは、最も屈折力が大きいレンズ群をレンズ群ＬＰとする。）
０．８０＜ｆｒ／ｆｗ＜４．５０
なる条件式を満足することを特徴とする請求項１に記載のズームレンズ。
【請求項３】
前記第４レンズ群の最も像側のレンズ面と前記第５レンズ群の最も物体側のレンズ面の広角端における光軸上の距離をＤｗ、前記第４レンズ群の最も像側のレンズ面と前記第５レンズ群の最も物体側のレンズ面の望遠端における光軸上の距離をＤｔとするとき、
０．０１＜Ｄｗ／Ｄｔ＜０．３５
なる条件式を満足することを特徴とする請求項１又は２に記載のズームレンズ。
【請求項４】
前記第５レンズ群の焦点距離をｆ５、望遠端における全系の焦点距離をｆｔとするとき、
−０．２７＜ｆ５／ｆｔ＜−０．０５
なる条件式を満足することを特徴とする請求項１乃至３のいずれか１項に記載のズームレンズ。
【請求項５】
前記第３Ｂ群の焦点距離をｆ３Ｂ、前記第３レンズ群の焦点距離をｆ３とするとき、
−３．００＜ｆ３Ｂ／ｆ３＜−０．７９
なる条件式を満足することを特徴とする請求項１乃至４のいずれか１項に記載のズームレンズ。
【請求項６】
前記第３Ｃ群の焦点距離をｆ３Ｃ、前記第３レンズ群の焦点距離をｆ３とするとき、
０．７４＜ｆ３Ｃ／ｆ３＜２．９０
なる条件式を満足することを特徴とする請求項１乃至５のいずれか１項に記載のズームレンズ。
【請求項７】
前記第１レンズ群の焦点距離をｆ１、望遠端における全系の焦点距離をｆｔとするとき、
０．２８＜ｆ１／ｆｔ＜０．５８
なる条件式を満足することを特徴とする請求項１乃至６のいずれか１項に記載のズームレンズ。
【請求項８】
前記第２レンズ群の焦点距離をｆ２、望遠端における全系の焦点距離をｆｔとするとき、
−０．０７０＜ｆ２／ｆｔ＜−０．０５０
なる条件式を満足することを特徴とする請求項１乃至７のいずれか１項に記載のズームレンズ。
【請求項９】
前記第３レンズ群の焦点距離をｆ３、望遠端における全系の焦点距離をｆｔとするとき、
０．０５＜ｆ３／ｆｔ＜０．１５
なる条件式を満足することを特徴とする請求項１乃至８のいずれか１項に記載のズームレンズ。
【請求項１０】
前記第４レンズ群の焦点距離をｆ４、望遠端における全系の焦点距離をｆｔとするとき、
−０．３０＜ｆ４／ｆｔ＜−０．０７
なる条件式を満足することを特徴とする請求項１乃至９のいずれか１項に記載のズームレンズ。
【請求項１１】
前記後群は正の屈折力の第６レンズ群から構成されることを特徴とする請求項１乃至１０のいずれか１項に記載のズームレンズ。
【請求項１２】
前記後群は物体側から像側へ順に配置された、正の屈折力の第６レンズ群、正の屈折力の第７レンズ群から構成されることを特徴とする請求項１乃至１０のいずれか１項に記載のズームレンズ。
【請求項１３】
前記後群は物体側から像側へ順に配置された、正の屈折力の第６レンズ群、負の屈折力の第７レンズ群から構成されることを特徴とする請求項１乃至１０のいずれか１項に記載のズームレンズ。
【請求項１４】
請求項１乃至１３のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置は高機能化されている。それに伴い撮像装置に用いる撮像光学系としては、高いズーム比（変倍比）で全ズーム範囲にわたり高い光学性能を有するズームレンズであることが要求されている。また、迅速なフォーカシング（合焦）を行うために、フォーカスレンズ群は小型軽量であること等が要求されている。この他、手ぶれ等による撮影画像のぶれ（像ぶれ）を補正し、光学性能の低下を防止する防振機能を有すること等が要望されている。
【０００３】
従来、最も物体側に正の屈折力のレンズ群を配置したポジティブリード型で物体側の第１レンズ群以外のレンズ群でフォーカシングを行い、ズームレンズを構成する一部のレンズ群で像ぶれ補正を行ったズームレンズが知られている（特許文献１、２）。
【０００４】
特許文献１では、物体側から像側へ順に、正、負、正、負、負、正の屈折力の第１レンズ群乃至第６レンズ群から成り、ズーミングに際して隣り合うレンズ群の間隔が変化するズームレンズを開示している。特許文献１では第４レンズ群を移動させることによりフォーカシングを行い、第３レンズ群の一部のレンズ群で像ぶれ補正を行うズーム比１０程度のズームレンズを開示している。
【０００５】
特許文献２では、物体側から像側へ順に、正、負、正、負、負の屈折力の第１レンズ群ないし第５レンズ群から成り、ズーミングに際して隣り合うレンズ群の間隔が変化するズームレンズを開示している。特許文献２では第４レンズ群を移動させることによりフォーカシングを行うズーム比１０程度のズームレンズを開示している。また特許文献２では第３レンズ群を物体側から像側へ順に、正の屈折力の第３Ａレンズ群Ｇ３Ａ、正の屈折力の第３Ｂレンズ群Ｇ３Ｂ、正又は負の屈折力の第３Ｃレンズ群Ｇ３Ｃより構成し、第３Ｂレンズ群Ｇ３Ｂで像ぶれ補正を行っている。
【先行技術文献】
【特許文献】
【０００６】
【特許文献１】特開２０１３−１８２０２２号公報
【特許文献２】特開２０１１−２４７９６２号公報
【発明の概要】
【発明が解決しようとする課題】
【０００７】
ポジティブリード型のズームレンズにおいて、全系の小型化を図りつつ高ズーム比で全ズーム範囲及び全物体距離にわたり高い光学性能を得るには、ズームレンズを構成する各要素を適切に設定することが重要となってくる。例えばズームタイプ（レンズ群の数や各レンズ群の屈折力、ズーミングに際してのレンズ群の移動条件等）を適切に設定することが重要になってくる。この他、フォーカス用のレンズ群は、レンズ群の選定やその屈折力やフォーカシングに際しての移動条件等を適切に設定することが全物体距離にわたり高い光学性能を得るために重要になってくる。
【０００８】
又、ズームレンズを構成する一部のレンズ群を平行偏心させて像ぶれ補正を行う方法は、高ズーム化にすると像ぶれ補正に伴う偏心収差が多く発生してくる傾向がある。このため、像ぶれ補正用の防振群の小型化を図りつつ、像ぶれ補正の際の偏心収差の発生が少なく、像ぶれ補正の際の光学性能を良好に維持するためには、防振群の選択及びレンズ構成等を適切に設定することが重要になってくる。
【０００９】
特許文献１では、広角端から望遠端へのズーミング（変倍）に際し、第４レンズ群と第５レンズ群の間隔が、中間ズーム域で拡大し、望遠端で広角端と同程度の間隔となる軌跡で各レンズ群が移動している。そのため、フォーカシングを行うための空間を予め多く確保する必要があるため、レンズ全長が増大する傾向があった。
【００１０】
特許文献２では、広角端から望遠端へのズーミング（変倍）に際し、第４レンズ群と第５レンズ群の間隔が拡大するように各レンズ群が移動している。そのため、望遠端において第４レンズ群でフォーカシングを行う際、拡大された空間を移動することが出来るため、フォーカシングによるレンズ全長が増大することが少ない。しかしながら、正の屈折力の第３レンズ群中の正の部分群で防振を行っているため防振群が大きくなり、また、防振敏感度が小さくなるため防振時の移動量が増え、ズームレンズ全体の小型化が困難になる傾向があった。
【００１１】
本発明は、広画角、高ズーム比で迅速なフォーカスが容易で、しかも像ぶれ補正に際しても光学性能を良好に維持することができる、小型のズームレンズ及びそれを有する撮像装置の提供を目的とする。
【課題を解決するための手段】
【００１２】
本発明のズームレンズは、物体側より像側へ順に配置された、正の屈折力の第１レンズ群、負の屈折力の第２レンズ群、正の屈折力の第３レンズ群、負の屈折力の第４レンズ群、負の屈折力の第５レンズ群、１つ以上のレンズ群を含む後群より構成され、ズーミングに際して隣り合うレンズ群の間隔が変化するズームレンズであって、
広角端から望遠端へのズーミングに際して前記第４レンズ群と前記第５レンズ群の間隔が増大し、
無限遠から近距離へのフォーカシングに際して前記第４レンズ群は像側へ移動し、
前記第３レンズ群は、物体側より像側へ順に配置された、正の屈折力の第３Ａ群、負の屈折力の第３Ｂ群、正の屈折力の第３Ｃ群より構成され、像ぶれ補正に際して前記第３Ｂ群は光軸に対し垂直方向の成分を持つ方向に移動することを特徴としている。
【発明の効果】
【００１３】
本発明によれば、広画角、高ズーム比で迅速なフォーカスが容易で、しかも像ぶれ補正に際しても光学性能を良好に維持することができる、小型のズームレンズが得られる。
【図面の簡単な説明】
【００１４】
【図１】実施例１の無限遠物体に合焦時（フォーカス時）の広角端におけるレンズ断面図
【図２】（Ａ）、（Ｂ）、（Ｃ）  実施例１の無限遠物体に合焦時の広角端、中間のズーム位置、望遠端における収差図
【図３】（Ａ）、（Ｂ）、（Ｃ）  実施例１の物体距離１．５ｍに合焦時の広角端、中間のズーム位置、望遠端における収差図
【図４】実施例１の無限遠物体に合焦時の望遠端における０．５°の像ぶれ補正時の収差図
【図５】実施例２の無限遠物体に合焦時の広角端におけるレンズ断面図
【図６】（Ａ）、（Ｂ）、（Ｃ）  実施例２の無限遠物体に合焦時の広角端、中間のズーム位置、望遠端における収差図
【図７】（Ａ）、（Ｂ）、（Ｃ）  実施例２の物体距離０．７ｍに合焦時の広角端、中間のズーム位置、望遠端における収差図
【図８】実施例２の無限遠物体に合焦時の望遠端における０．８°の像ぶれ補正時の収差図
【図９】実施例３の無限遠物体に合焦時の広角端におけるレンズ断面図
【図１０】（Ａ）、（Ｂ）、（Ｃ）  実施例３の無限遠物体に合焦時の広角端、中間のズーム位置、望遠端における収差図
【図１１】（Ａ）、（Ｂ）、（Ｃ）  実施例３の物体距離１．５ｍに合焦時の広角端、中間のズーム位置、望遠端における収差図
【図１２】実施例３の無限遠物体に合焦時の望遠端における０．５°の像ぶれ補正時の収差図
【図１３】実施例４の無限遠物体に合焦時の広角端におけるレンズ断面図
【図１４】（Ａ）、（Ｂ）、（Ｃ）  実施例４の無限遠物体に合焦時の広角端、中間のズーム位置、望遠端における収差図
【図１５】（Ａ）、（Ｂ）、（Ｃ）  実施例４の物体距離１．５ｍに合焦時の広角端、中間のズーム位置、望遠端における収差図
【図１６】実施例４の無限遠物体に合焦時の望遠端における０．５°の像ぶれ補正時の収差図
【図１７】本発明のズームレンズを搭載したデジタル一眼レフカメラ（撮像装置）の要部概略図
【図１８】本発明のズームレンズを搭載したデジタルカメラ（撮像装置）の要部概略図
【発明を実施するための形態】
【００１５】
以下に本発明の好ましい実施の形態を、添付の図面に基づいて説明する。本発明のズームレンズは、物体側より像側へ順に各レンズ群が次のように配置されている。正の屈折力の第１レンズ群、負の屈折力の第２レンズ群、正の屈折力の第３レンズ群、負の屈折力の第４レンズ群、負の屈折力の第５レンズ群、１つ以上のレンズ群を含む後群より構成されている。ズーミングに際して隣り合うレンズ群の間隔が変化し、広角端から望遠端へのズーミングに際して第４レンズ群と第５レンズ群の間隔が増大する。
【００１６】
無限遠から近距離へのフォーカシングに際して第４レンズ群は像側へ移動する。第３レンズ群は、物体側より像側へ順に配置された、正の屈折力の第３Ａ群、負の屈折力の第３Ｂ群、正の屈折力の第３Ｃ群より構成されている。そして像ぶれ補正（防振補正）に際して第３Ｂ群は光軸に対して垂直方向の成分を持つ方向に移動する。
【００１７】
図１は実施例１の無限遠物体に合焦時（フォーカス時）の広角端（短焦点距離端）におけるレンズ断面図である。図２（Ａ）、（Ｂ）、（Ｃ）は実施例１の無限遠物体に合焦時の広角端、中間のズーム位置、望遠端（長焦点距離端）における収差図である。図３（Ａ）、（Ｂ）、（Ｃ）は実施例１の物体距離１．５ｍに合焦時の広角端、中間のズーム位置、望遠端における収差図である。ここで物体距離とは後述する数値データをｍｍ単位で表したときの第１レンズ面からの距離である。
【００１８】
図４は実施例１の無限遠物体に合焦時において望遠端における０．５°防振補正時の収差図である。実施例１はズーム比１８．８６、Ｆナンバー３．４５〜６．３０程度のズームレンズである。
【００１９】
図５は実施例２の無限遠物体に合焦時の広角端におけるレンズ断面図である。図６（Ａ）、（Ｂ）、（Ｃ）は実施例２の無限遠物体に合焦時の広角端、中間のズーム位置、望遠端における収差図である。図７（Ａ）、（Ｂ）、（Ｃ）は実施例１の物体距離０．７ｍに合焦時の広角端、中間のズーム位置、望遠端における収差図である。図８は実施例２の無限遠物体に合焦時において望遠端における０．８°の防振補正時の収差図である。実施例２はズーム比１９．０２、Ｆナンバー３．５０〜６．３０程度のズームレンズである。
【００２０】
図９は実施例３の無限遠物体に合焦時の広角端におけるレンズ断面図である。図１０（Ａ）、（Ｂ）、（Ｃ）は実施例３の無限遠物体に合焦時の広角端、中間のズーム位置、望遠端における収差図である。図１１（Ａ）、（Ｂ）、（Ｃ）は実施例３の物体距離１．５ｍに合焦時の広角端、中間のズーム位置、望遠端における収差図である。図１２は実施例３の無限遠物体に合焦時において望遠端における０．５°の防振補正時の収差図である。実施例３はズーム比１８．８６、Ｆナンバー３．６０〜６．３０程度のズームレンズである。
【００２１】
図１３は実施例４の無限遠物体に合焦時の広角端におけるレンズ断面図である。図１４（Ａ）、（Ｂ）、（Ｃ）は実施例４の無限遠物体に合焦時の広角端、中間のズーム位置、望遠端における収差図である。図１５（Ａ）、（Ｂ）、（Ｃ）は実施例４の物体距離１．５ｍに合焦時の広角端、中間のズーム位置、望遠端における収差図である。図１６は実施例４の無限遠物体に合焦時において望遠端における０．５°の防振補正時の収差図である。実施例４はズーム比１８．８５、Ｆナンバー３．４３〜６．３０程度のズームレンズである。
【００２２】
図１７は本発明のズームレンズを搭載したデジタル一眼レフカメラ（撮像装置）の要部概略図である。図１８は本発明のズームレンズを搭載したデジタルカメラ（撮像装置）の要部概略図である。
【００２３】
本発明のズームレンズはデジタルカメラやビデオカメラ、放送用カメラ、監視用カメラ、銀塩写真用カメラなどの撮像装置の撮像光学系に用いられる。尚、本発明のズームレンズは投射装置（プロジェクタ）用の投射光学系として用いることもできる。
【００２４】
レンズ断面図において、左方が物体側（前方）で、右方が像側（後方）である。また、レンズ断面図において、ｉを物体側からのレンズ群の順番とすると、Ｌｉは第ｉレンズ群である。ＬＲは１つ以上のレンズ群を含む後群である。Ｌ３Ａは第３Ａ群、Ｌ３Ｂは第３Ｂ群、Ｌ３Ｃは第３Ｃ群を示す。ＳＰは開口絞りである。ＩＰは像面である。像面ＩＰは、デジタルカメラやビデオカメラなどの撮像装置としてズームレンズを使用する際には、ＣＣＤセンサやＣＭＯＳセンサなどの固体撮像素子（光電変換素子）の撮像面に相当する。
【００２５】
銀塩フィルムカメラの撮像装置としてズームレンズを使用する際には、フィルム面に相当する。矢印は広角端から望遠端へのズーミングに際して、各レンズ群の移動軌跡を示している。フォーカスに関する矢印は無限遠から近距離へのフォーカシングに際してのフォーカス群の移動方向を示す。
【００２６】
球面収差図において、ＦｎｏはＦナンバーである。またｄはｄ線（波長５８７．６ｎｍ）、ｇはｇ線（波長４３５．８ｎｍ）である。非点収差図でＭはｄ線におけるメリディオナル像面、Ｓはｄ線におけるサジタル像面である。歪曲収差図はｄ線について示している。倍率色収差図はｇ線について示している。ωは半画角（度）である。
【００２７】
本発明のズームレンズは、物体側より像側へ順に各レンズ群が次のように配置されている。正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、１つ以上のレンズ群を有する後群ＬＲより構成される。広角端から望遠端へのズーミングに際し、第４レンズ群Ｌ４と第５レンズ群Ｌ５の間隔が増大する。
【００２８】
ズーミングに際して隣り合うレンズ群の間隔が変化する。無限遠から近距離へのフォーカシングに際し、第４レンズ群Ｌ４（フォーカス群）は像側へ移動する。第３レンズ群Ｌ３は、物体側より像側へ順に配置された、正の屈折力の第３Ａ群Ｌ３Ａ、負の屈折力の第３Ｂ群Ｌ３Ｂ、正の屈折力の第３Ｃ群Ｌ３Ｃより構成される。像ぶれ補正に際して第３Ｂ群Ｌ３Ｂは光軸に対し垂直方向の成分を持つ方向に移動している。
【００２９】
広角端から望遠端へのズーミングに際し、第４レンズ群Ｌ４と第５レンズ群Ｌ５の間隔が増大するように各レンズ群を移動させることにより、広角端と望遠端で第５レンズ群Ｌ５を通過する周辺像高の光線の入射高さの差を大きく変化させている。第５レンズ群Ｌ５を通過する周辺像高の光線の入射高さは、広角端に対し望遠端で高くなり、第５レンズ群Ｌ５よりも後方（像側）に配置される正の屈折力のレンズ群では、広角端と望遠端で周辺像高の光線の入射高さの差は同程度となる。
【００３０】
よって、第５レンズ群Ｌ５では望遠端において像面湾曲や倍率色収差等といった画面周辺の光学性能の補正に適したレンズ形状や硝種を決定している。また第５レンズ群Ｌ５の後方の正の屈折力のレンズ群では、広角端において画面周辺の光学性能の補正に適したレンズ形状や硝種を決定している。これにより、ズーム全域で高い光学性能を得ている。一般にインナーフォーカシング方式を用いるズームレンズでは、焦点距離が長くなるほどフォーカシングの際のフォーカス群の繰り出し量が大きくなる。よって、広角端に対し望遠端ではフォーカシングの際のフォーカス群の繰り出し量が大きくなる。
【００３１】
本発明のズームレンズでは、広角端から望遠端へのズーミングの際、第４レンズ群Ｌ４と第５レンズ群Ｌ５の間隔が望遠端で拡大するようにし、第４レンズ群Ｌ４をズーミングで拡大した空間を利用して移動させることでフォーカシングを行っている。
【００３２】
望遠端のズーム位置に対し広角端のズーム位置ではフォーカシングのためのフォーカス群の繰り出し量は小さいため、広角端において第４レンズ群Ｌ４と第５レンズ群Ｌ５の間隔を大きく広げる必要がない。このため、高ズーム比化を行っても、全系の小型化が容易に達成できる。また、フォーカス群を正の屈折力の第３レンズ群Ｌ３の後方に配置している。これによりフォーカス群に入射する光束は収斂光となり、フォーカス群を小型化している。小型のフォーカス群は、駆動力が小さくて済み迅速なオートフォーカシングが容易となる。
【００３３】
また本発明のズームレンズは、第３レンズ群Ｌ３を正の屈折力の第３Ａ群Ｌ３Ａ、負の屈折力の第３Ｂ群Ｌ３Ｂ、正の屈折力の第３Ｃ群Ｌ３Ｃより構成し、第３Ｂ群Ｌ３Ｂで像ぶれの補正、即ち防振を行っている。正の屈折力の第３Ａ群Ｌ３Ａにより収斂された光束が第３Ｂ群Ｌ３Ｂに入射するようにして、防振群を小型化している。また、正、負、正の屈折力配置の構成とし負の屈折力の第３Ｂ群Ｌ３Ｂで像ぶれ補正をすることにより、防振敏感度を大きくしつつ、偏芯像面湾曲等の防振性能を良好に維持している。
【００３４】
また、第３レンズ群Ｌ３よりも後方（像側）の負の屈折力の第４レンズ群Ｌ４でフォーカシングを行っているが、第４レンズ群Ｌ４の物体側に正の屈折力の第３Ｃ群Ｌ３Ｃを配置することにより、フォーカシングの際の敏感度を大きくしている。第３Ｂ群Ｌ３Ｂの防振敏感度を大きくするため、第３Ｂ群Ｌ３Ｂの負の屈折力を大きくすると、正の屈折力の第３Ａ群Ｌ３Ａにより収斂して入射された光束は、第３Ｂ群Ｌ３Ｂを通過後、光軸に略平行な光束となる。
【００３５】
正の屈折力の第３群Ｌ３Ｃがないと、フォーカス群である第４レンズ群Ｌ４に入射する光束は略平行な光束となる。フォーカシング敏感度を大きくするために第４レンズ群Ｌ４の負の屈折力を大きくすると（負の屈折力の絶対値を大きくすると）、第４レンズ群Ｌ４を通過した光束は発散光となる。この結果、第５レンズ群Ｌ５以降のレンズ群が大型化すると共に諸収差が増加してくる。
【００３６】
そこで、第３Ｂ群Ｌ３Ｂを通過した光軸に略平行な光束を正の屈折力の第３Ｃ群Ｌ３Ｃにより収斂光とし、第４レンズ群Ｌ４に入射させている。これにより、フォーカス敏感度を大きくするために第４レンズ群Ｌ４の負の屈折力を大きくしても、全系が大型化することなく、また光学性能が低下しないようにしている。
【００３７】
本発明では、上述の構成により、高ズーム比で全系が小型な、ズーム全域にわたり高い光学性能を有し、フォーカス群および防振群の小型化を図ったズームレンズを得ている。
【００３８】
各実施例において、好ましくは次の条件式のうち１つ以上を満足するのが良い。後群ＬＲは正の屈折力のレンズ群ＬＰを有し、レンズ群ＬＰの焦点距離をｆｒとする（但し、後群が正の屈折力のレンズ群を複数含むときは、最も屈折力が大きいレンズ群をレンズ群ＬＰとする。）。広角端における全系の焦点距離をｆｗとする。第４レンズ群Ｌ４の最も像側のレンズ面と第５レンズ群Ｌ５の最も物体側のレンズ面の広角端における光軸上の距離をＤｗとする。第４レンズ群Ｌ４の最も像側のレンズ面と第５レンズ群Ｌ５の最も物体側のレンズ面の望遠端における光軸上の距離をＤｔとする。
【００３９】
第５レンズ群Ｌ５の焦点距離をｆ５、望遠端における全系の焦点距離をｆｔとする。第３Ｂ群Ｌ３Ｂの焦点距離をｆ３Ｂ、第３レンズ群Ｌ３の焦点距離をｆ３とする。第３Ｃ群の焦点距離をｆ３Ｃとする。第１レンズ群Ｌ１の焦点距離をｆ１とする。第２レンズ群Ｌ２の焦点距離をｆ２とする。第４レンズ群Ｌ４の焦点距離をｆ４とする。
【００４０】
このとき次の条件式のうち１つ以上を満足するのが良い。
０．８０＜ｆｒ／ｆｗ＜４．５０          ・・・（１）
０．０１＜Ｄｗ／Ｄｔ＜０．３５          ・・・（２）
−０．２７＜ｆ５／ｆｔ＜−０．０５      ・・・（３）
−３．００＜ｆ３Ｂ／ｆ３＜−０．７９    ・・・（４）
０．７４＜ｆ３Ｃ／ｆ３＜２．９０        ・・・（５）
０．２８＜ｆ１／ｆｔ＜０．５８          ・・・（６）
−０．０７０＜ｆ２／ｆｔ＜−０．０５０  ・・・（７）
０．０５＜ｆ３／ｆｔ＜０．１５          ・・・（８）
−０．３０＜ｆ４／ｆｔ＜−０．０７      ・・・（９）
【００４１】
次に前述の各条件式の技術的意味について説明する。条件式（１）は、高ズーム比化を図りつつ、高い光学性能を得るためのものである。条件式（１）の下限値を下回り、負の屈折力の第５レンズ群Ｌ５の後方（像側）に配置される正の屈折力のレンズ群ＬＰの屈折力が強くなりすぎると、特に広角端において像面湾曲等の周辺の光学性能が低下してくる。
【００４２】
条件式（１）の上限値を上回り、第５レンズ群Ｌ５の後方に配置される正の屈折力のレンズ群ＬＰの屈折力が弱くなりすぎると、高ズーム比化のためには、ズーミングに際しての移動量を大きくする必要があり全系が大型化してくる。若しくは、他のレンズ群の変倍作用を大きくする必要があるため、他のレンズ群の屈折力を強くする必要があり、そうすると光学性能が低下してくる。好ましくは条件式（１）の数値範囲を以下の如くにすると良い。
０．９０＜ｆｒ／ｆｗ＜３．６０      ・・・（１ａ）
さらに好ましくは条件式（１ａ）の数値範囲を以下の如くにすると良い。
１．００＜ｆｒ／ｆｗ＜３．３０      ・・・（１ｂ）
【００４３】
条件式（２）は高ズーム比化を図るためのものである。条件式（２）の下限値を下回り、望遠端における第４レンズ群Ｌ４と第５レンズ群Ｌ５の間隔が大きくなりすぎると、全系が大型化してくる。条件式（２）の上限値を上回ると、望遠端における第４レンズ群のフォーカシングに際しての繰り込むための空間を多く確保する必要があり、全系が大型化してくる。好ましくは条件式（２）の数値範囲を以下の通りにすると良い。
０．０２＜Ｄｗ／Ｄｔ＜０．３３      ・・・（２ａ）
さらに好ましくは条件式（２ａ）の数値範囲を以下の通りにすると良い。
０．０３＜Ｄｗ／Ｄｔ＜０．３１      ・・・（２ｂ）
【００４４】
条件式（３）は、望遠端において、高い光学性能を得るためのものである。上述したように、第５レンズ群Ｌ５を通過する周辺像高の光線の入射高さは、広角端に対して望遠端で高くなる。第５レンズ群Ｌ５の後方に配置される正の屈折力のレンズ群ＬＰでは、正の屈折力のレンズ群ＬＰを通過する周辺像高の光線の入射高さは、広角端と望遠端でほぼ等しくなる。
【００４５】
よって、第５レンズ群Ｌ５では望遠端における光学性能の改善に適切なレンズ構成とし、第５レンズ群Ｌ５の後方に配置される正の屈折力のレンズ群ＬＰでは広角端における光学性能の改善に適切なレンズ構成とする。これにより広角端と望遠端の両方のズーム位置において、高い光学性能を得ている。
【００４６】
条件式（３）の下限値を下回り、第５レンズ群Ｌ５の負の屈折力が強くなりすぎると（負の屈折力の絶対値が大きくなりすぎると）、望遠端における収差補正が過剰と成り良好な光学性能を得るのが困難になる。条件式（３）の上限値を上回り、第５レンズ群Ｌ５の負の屈折力が弱くなりすぎると（負の屈折力の絶対値が小さくなりすぎると）、望遠端での光学性能の改善に必要な屈折力が不足し光学性能が低下してくる。好ましくは条件式（３）の数値範囲を以下の如くにすると良い。
−０．２５＜ｆ５／ｆｔ＜−０．０６    ・・・（３ａ）
さらに好ましくは条件式（３ａ）の数値範囲を以下の如くにすると良い。
−０．２４＜ｆ５／ｆｔ＜−０．０７    ・・・（３ｂ）
【００４７】
条件式（４）は防振性能を良好に維持するためのものである。条件式（４）の下限値を下回り、防振群である第３Ｂ群Ｌ３Ｂの負の屈折力が強くなりすぎると、防振性能が低下してくる。条件式（４）の上限値を上回り、防振群である第３Ｂ群Ｌ３Ｂの負の屈折力が弱くなりすぎると、防振に際しての第３Ｂ群Ｌ３Ｂの移動量が大きくなり、防振群を駆動するためのユニットが大型化してくる。好ましくは条件式（４）の数値範囲を以下の如くにすると良い。
−２．７０＜ｆ３Ｂ／ｆ３＜−０．７９      ・・・（４ａ）
さらに好ましくは条件式（４ａ）の数値範囲を以下の如くにすると良い。
−２．４０＜ｆ３Ｂ／ｆ３＜−０．７９      ・・・（４ｂ）
【００４８】
条件式（５）は第３Ｃ群Ｌ３Ｃの屈折力に関する。条件式（５）の下限値を下回り、第３Ｃ群Ｌ３Ｃの正の屈折力が強くなりすぎると、第３Ｃ群Ｌ３Ｃより球面収差、コマ収差等が大きく発生し、光学性能が低下してくる。条件式（５）の上限値を上回り、第３Ｃ群Ｌ３Ｃの正の屈折力が弱くなりすぎると、フォーカス群に入射する光束を十分に収斂することが困難となる。
【００４９】
よって、フォーカシングに際しての第４レンズ群Ｌ４の移動量を低減するためには、フォーカス群の屈折力を強くする必要がある。そうすると、フォーカシングに際して光学性能が低下してくる。好ましくは条件式（５）の数値範囲を次の如くするのが良い。
０．７４＜ｆ３Ｃ／ｆ３＜２．６０      ・・・（５ａ）
さらに好ましくは条件式（５ａ）の数値範囲を以下の如くにすると良い。
０．７４＜ｆ３Ｃ／ｆ３＜２．３０      ・・・（５ｂ）
【００５０】
条件式（６）は、第１レンズ群Ｌ１の正の屈折力に関し、レンズ全長を短縮しつつ、望遠端において高い光学性能を得るためのものである。条件式（６）の下限値を下回り、第１レンズ群Ｌ１の正の屈折力が強くなりすぎると、望遠端における光学性能、特に軸上色収差、倍率色収差といった色収差が増加してくる。
【００５１】
条件式（６）の上限値を上回り、第１レンズ群Ｌ１の正の屈折力が弱くなりすぎると、高ズーム比化を図るのに第１レンズ群Ｌ１の移動量が増加し、レンズ全長が増大してくる。好ましくは条件式（６）の数値範囲を以下の如くにすると良い。
０．３０＜ｆ１／ｆｔ＜０．５４      ・・・（６ａ）
さらに好ましくは条件式（６ａ）の数値範囲を以下の如くにすると良い。
０．３２＜ｆ１／ｆｔ＜０．５１      ・・・（６ｂ）
【００５２】
条件式（７）は第２レンズ群Ｌ２の負の屈折力に関し、高ズーム比化を図りつつ、高い光学性能を得るためのものである。第２レンズ群Ｌ２は、ズームレンズを構成する各レンズ群の中で最も変倍作用を有するレンズ群であり、高ズーム比化を図りつつ、高い光学性能を達成するために適切な屈折力を設定することが重要になってくる。
【００５３】
条件式（７）の下限値を下回り、第２レンズ群Ｌ２の負の屈折力が強くなりすぎると、ズーム全域で高い光学性能を得るのが困難になる。条件式（７）の条件式を上回り、第２レンズ群Ｌ２の負の屈折力が弱くなりすぎると、変倍に必要な移動量が増大し、レンズ全長が増大してくる。好ましくは条件式（７）の数値範囲を以下の如くにすると良い。
−０．０６５＜ｆ２／ｆｔ＜−０．０５０      ・・・（７ａ）
更に好ましくは条件式（７ａ）の数値範囲を次の如く設定するのが良い。
−０．０６４＜ｆ２／ｆｔ＜−０．０５５      ・・・（７ｂ）
【００５４】
条件式（８）は、第３レンズ群Ｌ３の正の屈折力に関し、高ズーム比化を図りつつ、高い光学性能を得るためのものである。条件式（８）の下限値を下回り、第３レンズ群Ｌ３の正の屈折力が強くなりすぎると、球面収差、コマ収差等が増大し、高い光学性能を達成することが困難となる。
【００５５】
条件式（８）の上限値を上回り、第３レンズ群Ｌ３の正の屈折力が弱くなりすぎると、変倍に必要な移動量が増大し、レンズ全長が大型化してくる。好ましくは条件式（８）の数値範囲を以下の如くにすると良い。
０．０６＜ｆ３／ｆｔ＜０．１４      ・・・（８ａ）
さらに好ましくは条件式（８ａ）の数値範囲を以下の如くにすると良い。
０．０７＜ｆ３／ｆｔ＜０．１３      ・・・（８ｂ）
【００５６】
条件式（９）は、フォーカスレンズ群である第４レンズ群Ｌ４の負の屈折力に関し、フォーカシングに際しての光学性能を良好に維持するためのものである。条件式（９）の下限値を下回り、第４レンズ群Ｌ４の負の屈折力が強くなりすぎると、フォーカシングに際して、光学性能が低下してくる。
【００５７】
条件式（９）の上限値を上回り、第４レンズ群Ｌ４の負の屈折力が小さくなりすぎると、フォーカシングに際しての必要な移動量が大きくなり、レンズ全長が増大してくる。好ましくは条件式（９）の数値範囲を以下の如くにすると良い。
−０．２５＜ｆ４／ｆｔ＜−０．０９      ・・・（９ａ）
更に好ましくは条件式（９ａ）の数値範囲を以下の如くにすると良い。
−０．２２＜ｆ４／ｆｔ＜−０．１０      ・・・（９ｂ）
【００５８】
以下に各実施例のレンズ構成を、添付の図面に基づいて説明する。実施例１は物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、後群ＬＲより構成されている。後群ＬＲは正の屈折力の第６レンズ群Ｌ６（ＬＰ）より構成されている。
【００５９】
広角端に比べて望遠端において、第１レンズ群Ｌ１と第２レンズ群Ｌ２の空気間隔は拡大する。第２レンズ群Ｌ２と第３レンズ群Ｌ３の空気間隔は縮小する。第３レンズ群Ｌ３と第４レンズ群Ｌ４の空気間隔は拡大する。第４レンズ群Ｌ４と第５レンズ群Ｌ５の空気間隔は拡大する。第５レンズ群Ｌ５と第６レンズ群Ｌ６の空気間隔は縮小する。開口絞りＳＰは第３レンズ群Ｌ３と一体的に（同じ軌跡で）移動する。第６レンズ群Ｌ６は条件式（１）に関するレンズ群ＬＰに相当する。
【００６０】
実施例２はレンズ群の数、各レンズ群の屈折力の符号、ズーミングに際してのレンズ群間隔の変化等は実施例１と同じである。実施例３は物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、後群ＬＲより構成されている。後群ＬＲは正の屈折力の第６レンズ群Ｌ６、正の屈折力の第７レンズ群Ｌ７（ＬＰ）より構成されている。
【００６１】
広角端に比べて望遠端において、第１レンズ群Ｌ１と第２レンズ群Ｌ２の空気間隔は拡大する。第２レンズ群Ｌ２と第３レンズ群Ｌ３の空気間隔は縮小する。第３レンズ群Ｌ３と第４レンズ群Ｌ４の空気間隔は拡大する。第４レンズ群Ｌ４と第５レンズ群Ｌ５の空気間隔は拡大する。第５レンズ群Ｌ５と第６レンズ群Ｌ６の空気間隔は縮小する。第６レンズ群Ｌ６と第７レンズ群Ｌ７の空気間隔は縮小する。開口絞りＳＰは第３レンズ群Ｌ３と一体的に移動している。第７レンズ群Ｌ７が条件式（１）に関するレンズ群ＬＰに相当している。
【００６２】
実施例４は物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５、後群ＬＲより構成されている。後群ＬＲは正の屈折力の第６レンズ群Ｌ６（ＬＰ）、負の屈折力の第７レンズ群Ｌ７より構成されている。
【００６３】
広角端に比べて望遠端において、第１レンズ群Ｌ１と第２レンズ群Ｌ２の空気間隔は拡大する。第２レンズ群Ｌ２と第３レンズ群Ｌ３の空気間隔は縮小する。第３レンズ群Ｌ３と第４レンズ群Ｌ４の空気間隔は拡大する。第４レンズ群Ｌ４と第５レンズ群Ｌ５の空気間隔は拡大する。第５レンズ群Ｌ５と第６レンズ群Ｌ６の空気間隔は縮小する。第６レンズ群Ｌ６と第７レンズ群Ｌ７の空気間隔は縮小する。開口絞りＳＰは第３レンズ群Ｌ３と一体的に移動している。
【００６４】
各実施例は、第３レンズ群を正の屈折力の第３Ａ群Ｌ３Ａ、負の屈折力の第３Ｂ群Ｌ３Ｂ、正の屈折力の第３Ｃ群Ｌ３Ｃにより構成している。そして第３Ｂ群Ｌ３Ｂを防振群とし、像ぶれ補正に際して移動している。また、第４レンズ群Ｌ４を像側へ移動することにより、無限遠から近距離へのフォーカシングを行っている。
【００６５】
本発明のズームレンズを撮像光学系として用いたデジタルカメラ（撮像装置）の実施形態を図１７により説明する。
【００６６】
レンズ鏡筒１０には、実施例１乃至４に示したズームレンズ１１が内蔵されている。カメラ本体２０内にはズームレンズ１１によって取り込まれた光束を上方に反射するクイックリターンミラー２１、ズームレンズ１１によって被写体像が形成される焦点板２２、焦点板２２からの光束を正立像に変換するペンタダハプリズム２３が設けられている。更に、焦点板２２上に形成された被写体像を観察するための接眼レンズ２４、ズームレンズ１１からの光束を受光するＣＣＤセンサやＣＭＯＳセンサ等の固体撮像素子（撮像素子）２５等が設けられている。
【００６７】
図１７は、観察状態つまり撮影待機状態を表しているが、レリーズボタンを撮影者が操作することにより、クイックリターンミラー２１が図示の光路中から退避し、固体撮像素子２５上に被写体像が取り込まれる。
【００６８】
次に実施例１乃至４に示したズームレンズをデジタルカメラ等の撮像装置に適用した実施例を図１８により説明する。図１８において３０はカメラ本体、３１は実施例１乃至４に示したいずれかのズームレンズによって構成された撮像光学系である。３２はカメラ本体に内蔵され、撮像光学系３１によって形成された被写体像を受講するＣＣＤセンサやＣＭＯＳセンサ等の固体撮像素子（撮像素子）である。
【００６９】
３３は固体撮像素子２２によって光電変換された被写体像に対応する情報を記憶するメモリである。３４は液晶ディスプレイパネル等によって構成され、固体撮像素子２２上に形成された被写体像を観察するためのファインダである。
【００７０】
以上、本発明の好ましい実施形態について説明したが、本発明はこれらの実施形態に限定されず、その要旨の範囲内で種々の変形及び変更が可能である。
【００７１】
以下、実施例１乃至４の具体的な数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【００７２】
【数１】
2017134302.tif 000003
【００７３】
なる式で表している。＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と数値データとの関係を表１に示す。
【００７４】
[数値データ１]
単位 mm
面データ
面番号       r        d      nd         νd       有効径
1        312.958    4.00   1.88300    40.8      104.09
2        121.093   16.27   1.43875    94.9      100.66
3       -570.360    0.20                        100.20
4        116.834   11.49   1.59522    67.7       96.42
5       1680.462  (可変)                         95.52
6*       444.108    3.00   1.85400    40.4       58.72
7         32.888   13.42                         45.45
8        -69.645    2.40   1.77250    49.6       44.99
9        468.057    0.17                         44.37
10         73.480    9.36   1.84666    23.9       44.09
11        -62.939    1.43                         43.38
12        -49.173    2.20   1.88300    40.8       42.40
13      -2189.244  (可変)                         41.27
14(絞り)    ∞       1.20                         31.71
15         31.985    7.89   1.63980    34.5       33.85
16       -265.005    3.72                         33.15
17*       105.227    4.86   1.58313    59.4       30.44
18        -97.143    1.40   1.85478    24.8       29.32
19         32.058    1.03                         27.84
20         43.280    1.40   1.80809    22.8       27.90
21         26.341    7.51   1.60311    60.6       27.55
22        -60.120    2.00                         27.59
23*      -203.444    1.50   1.76802    49.2       26.78
24         36.104    2.69   1.80809    22.8       26.38
25         69.095    2.00                         26.23
26         49.628    5.86   1.72916    54.7       27.31
27        -84.355  (可変)                         27.29
28       -122.894    1.20   1.88300    40.8       25.08
29*        50.101    1.57                         24.96
30       -164.704    1.20   1.88300    40.8       24.80
31         57.334    3.33   1.85478    24.8       25.64
32        -67.438  (可変)                         25.82
33*       -56.060    1.60   1.55332    71.7       29.75
34         29.363    3.06   2.00100    29.1       31.92
35         41.857  (可変)                         31.78
36         36.233    6.93   1.55332    71.7       35.16
37*      -161.047    0.20                         35.17
38         54.715    1.80   1.90366    31.3       35.28
39         25.385    8.36   1.49700    81.5       33.69
40        989.134  (可変)                         33.85
像面        ∞   
【００７５】
非球面データ
第6面
K = 0.00000e+000  A 4= 6.81335e-007  A 6= 1.63969e-010  A 8=-3.50349e-013  A10= 2.68238e-016  
第17面
K = 0.00000e+000  A 4=-7.87493e-006  A 6=-3.08141e-009  A 8= 3.78258e-012  A10= 2.67063e-015  
第23面
K = 0.00000e+000  A 4= 3.56140e-007  A 6= 1.76370e-009  A 8=-9.41289e-012  A10= 1.89536e-014  
第29面
K = 0.00000e+000  A 4=-1.50524e-006  A 6=-7.82038e-010  A 8=-2.18090e-012  A10= 1.74582e-014  
第33面
K = 0.00000e+000  A 4= 5.52951e-006  A 6= 8.61823e-010  A 8= 3.64877e-012  A10=-2.77605e-014  
第37面
K = 0.00000e+000  A 4= 6.18003e-006  A 6= 1.72491e-009  A 8=-4.45169e-012  A10=-6.57970e-016  
【００７６】
各種データ
ズーム比    18.86 
広角     中間     望遠
焦点距離      28.80   135.00   543.20  
Fナンバー      3.45     5.10     6.30  
半画角（度）  36.91     9.11     2.28  
像高          21.64    21.64    21.64  
レンズ全長   300.26   358.57   416.88  
BF            48.20    71.21    68.20  
d 5            1.98    84.31   140.61  
d13           98.94    34.48     2.98  
d27            3.00     8.33     7.84  
d32            3.34    20.81    58.01  
d35            8.55     3.18     3.00  
d40           48.20    71.21    68.20  
入射瞳位置    61.65   270.21   758.26  
射出瞳位置   -90.15   -89.41  -144.48  
前側主点位置  84.46   291.74   -85.91  
後側主点位置  19.40   -63.79  -475.00  
【００７７】
ズームレンズ群データ
群  始面    焦点距離  レンズ構成長  前側主点位置  後側主点位置
1    1     212.05        31.96        13.84         -7.02
2    6     -32.00        31.98         4.91        -17.54
3   14      42.54        43.06        16.13        -22.66
4   28     -59.42         7.30        -2.09         -7.06
5   33     -54.28         4.66         2.44         -0.09
6   36      52.49        17.29        -0.09        -11.15
【００７８】
単レンズデータ
レンズ  始面  焦点距離
1       1   -225.90
2       2    229.31
3       4    210.38
4       6    -41.73
5       8    -78.33
6      10     41.34
7      12    -57.00
8      15     45.08
9      17     87.40
10      18    -28.06
11      20    -86.48
12      21     31.39
13      23    -39.82
14      24     90.28
15      26     43.66
16      28    -40.18
17      30    -48.04
18      31     36.70
19      33    -34.60
20      34     87.54
21      36     54.13
22      38    -53.98
23      39     52.27
【００７９】
[数値データ２]
単位 mm
面データ
面番号       r        d      nd         νd       有効径
1        171.135    2.53   1.88300    40.8       60.02
2         77.750    7.93   1.43875    94.9       56.11
3       -653.295    0.13                         56.04
4         78.463    6.05   1.59522    67.7       55.52
5        821.497  (可変)                         55.05
6*      -200.833    1.75   1.85400    40.4       36.88
7         19.918    8.39                         27.90
8        -41.258    1.30   1.88300    40.8       27.70
9         88.100    0.05                         27.75
10         55.026    6.04   1.84666    23.9       27.99
11        -34.378    0.96                         27.89
12        -27.341    1.30   1.80400    46.6       27.72
13        -59.266  (可変)                         27.89
14(絞り)    ∞       3.97                         22.98
15         23.106    6.74   1.64769    33.8       27.07
16       -139.082    0.30                         26.57
17*        80.922    2.44   1.58313    59.4       25.62
18       -131.676    1.14   1.85478    24.8       25.11
19         20.931    0.84                         23.45
20         25.531    0.95   1.84666    23.9       23.53
21         21.106    6.24   1.60311    60.6       23.28
22        -46.713    1.26                         23.29
23*      -151.688    0.95   1.76802    49.2       22.58
24         35.160    1.83   1.85478    24.8       22.24
25         70.949    1.26                         22.12
26         52.441    3.20   1.48749    70.2       22.16
27        -82.004  (可変)                         22.00
28       -385.898    0.88   1.88300    40.8       13.72
29*        48.431    0.93                         13.73
30        -68.986    1.55   1.80809    22.8       13.76
31        -25.411    0.88   1.88300    40.8       13.98
32        -53.034  (可変)                         14.33
33*       -37.924    0.88   1.76802    49.2       20.98
34         28.811    3.16   1.85478    24.8       22.62
35        511.264  (可変)                         22.91
36         32.876    5.47   1.58313    59.4       28.29
37*       -72.015    0.13                         28.28
38        102.788    1.26   1.90366    31.3       27.99
39         21.616    9.07   1.49700    81.5       26.98
40        -53.117  (可変)                         27.42
像面        ∞   
【００８０】
非球面データ
第6面
K = 0.00000e+000  A 4= 1.05009e-005  A 6=-1.25059e-008  A 8= 7.52954e-012  A10= 3.90956e-015  
第17面
K = 0.00000e+000  A 4=-1.66360e-005  A 6=-8.72203e-009  A 8= 1.00009e-011  A10= 6.59456e-014  
第23面
K = 0.00000e+000  A 4= 3.54207e-007  A 6= 6.66093e-010  A 8=-2.14289e-012  A10=-4.30988e-017  
第29面
K = 0.00000e+000  A 4=-7.85075e-007  A 6=-6.77760e-010  A 8= 1.67361e-010  A10=-1.75448e-012  
第33面
K = 0.00000e+000  A 4= 4.08151e-006  A 6= 2.24391e-008  A 8=-8.88590e-011  A10= 2.22197e-013  
第37面
K = 0.00000e+000  A 4= 9.76446e-006  A 6= 4.45671e-009  A 8=-4.66801e-011  A10= 7.29712e-014  
【００８１】
各種データ
ズーム比    19.02 
広角     中間     望遠
焦点距離      15.38    85.57   292.50  
Fナンバー      3.50     5.26     6.30  
半画角（度）  41.61     9.07     2.67  
像高          13.66    13.66    13.66  
レンズ全長   216.16   258.08   300.00  
BF            38.99    56.31    54.90  
d 5            1.11    51.18    91.12  
d13           66.96    15.95     2.12  
d27            1.89    18.10    28.88  
d32            2.45    20.65    29.32  
d35           13.00     4.13     1.89  
d40           38.99    56.31    54.90  
入射瞳位置    32.14   137.93   413.56  
射出瞳位置  -238.10  -222.79  -246.69  
前側主点位置  46.66   197.26   422.38  
後側主点位置  23.61   -29.26  -237.60  
【００８２】
ズームレンズ群データ
群  始面    焦点距離  レンズ構成長  前側主点位置  後側主点位置
1    1     142.68        16.63         6.07         -4.75
2    6     -18.43        19.79         1.16        -14.17
3   14      33.34        31.11         8.50        -15.87
4   28     -56.02         4.25        -0.81         -3.63
5   33     -52.78         4.05         0.11         -2.08
6   36      41.67        15.92         3.23         -7.75
【００８３】
単レンズデータ
レンズ  始面  焦点距離
1       1   -163.43
2       2    158.89
3       4    145.30
4       6    -21.14
5       8    -31.67
6      10     25.79
7      12    -64.30
8      15     31.10
9      17     86.32
10      18    -21.06
11      20   -159.47
12      21     24.97
13      23    -37.08
14      24     79.67
15      26     66.13
16      28    -48.69
17      30     49.00
18      31    -56.09
19      33    -21.20
20      34     35.61
21      36     39.47
22      38    -30.52
23      39     32.21
【００８４】
[数値データ３]
単位 mm
面データ
面番号       r        d      nd         νd       有効径
1        317.412    4.00   1.88300    40.8      110.00
2        128.646   15.97   1.43875    94.9      106.48
3       -715.513    0.20                        106.50
4        123.859   13.11   1.59522    67.7      105.75
5       1226.660  (可変)                        104.86
6*       296.173    3.00   1.85400    40.4       58.28
7         32.951   12.88                         45.44
8        -79.453    2.40   1.77250    49.6       45.00
9        237.998    0.16                         44.08
10         65.524    9.86   1.84666    23.9       43.79
11        -60.255    0.97                         42.99
12        -50.294    2.20   1.88300    40.8       42.12
13        327.896  (可変)                         40.39
14(絞り)    ∞       1.20                         30.19
15         30.737    7.60   1.63980    34.5       31.29
16       -273.136    2.23                         30.33
17*        76.847    3.68   1.58313    59.4       28.01
18       -137.453    1.40   1.85478    24.8       27.06
19         30.270    0.88                         25.60
20         39.904    1.40   1.80809    22.8       25.64
21         24.839    7.37   1.60311    60.6       25.21
22        -69.990    2.00                         25.12
23*      -187.814    1.50   1.76802    49.2       24.36
24         32.480    2.60   1.80809    22.8       23.95
25         61.689    2.00                         23.79
26         50.491    4.22   1.72916    54.7       24.06
27        -95.079  (可変)                         23.78
28       -119.977    1.20   1.88300    40.8       19.46
29*        46.566    1.32                         19.61
30       -359.786    1.20   1.88300    40.8       19.69
31         63.994    3.08   1.85478    24.8       20.30
32        -71.427  (可変)                         20.75
33*       -53.825    1.60   1.55332    71.7       24.73
34         30.404    2.57   2.00100    29.1       26.76
35         45.497  (可変)                         26.80
36         46.461    3.00   1.60311    60.6       29.78
37         71.037  (可変)                         30.18
38         41.436    6.49   1.55332    71.7       34.81
39*      -124.508    0.20                         34.80
40         63.002    1.80   1.90366    31.3       34.72
41         26.913    6.95   1.49700    81.5       33.28
42        163.484  (可変)                         33.39
像面        ∞   
【００８５】
非球面データ
第6面
K = 0.00000e+000  A 4= 4.54355e-007  A 6= 9.08375e-011  A 8=-2.59622e-013  A10= 2.91186e-016  
第17面
K = 0.00000e+000  A 4=-7.63520e-006  A 6=-3.06950e-009  A 8=-2.86614e-012  A10= 1.32320e-014  
第23面
K = 0.00000e+000  A 4= 5.33572e-007  A 6= 1.96069e-009  A 8=-1.43422e-011  A10= 3.72473e-014  
第29面
K = 0.00000e+000  A 4=-1.72716e-006  A 6= 4.94468e-009  A 8=-6.09339e-011  A10= 2.14453e-013  
第33面
K = 0.00000e+000  A 4= 3.91985e-006  A 6= 4.63356e-009  A 8=-1.09963e-011  A10=-3.84033e-015  
第39面
K = 0.00000e+000  A 4= 5.85423e-006  A 6= 1.90848e-009  A 8=-5.88939e-012  A10= 3.33559e-015  
【００８６】
各種データ
ズーム比    18.86 
広角     中間     望遠
焦点距離      28.80   135.00   543.20  
Fナンバー      3.60     5.46     6.30  
半画角（度）  36.91     9.10     2.28  
像高          21.64    21.64    21.64  
レンズ全長   300.26   360.26   420.26  
BF            47.68    74.69    86.51  
d 5            1.99    91.30   158.14  
d13           97.12    31.30     3.56  
d27            3.00    11.93    10.32  
d32            6.00    12.51    25.50  
d35            7.41     3.45     3.00  
d37            4.83     2.85     1.00  
d42           47.68    74.69    86.51  
入射瞳位置    62.95   282.43   915.47  
射出瞳位置  -104.16   -88.88   -98.34  
前側主点位置  86.29   306.01  -137.61  
後側主点位置  18.88   -60.31  -456.69  
【００８７】
ズームレンズ群データ
群  始面    焦点距離  レンズ構成長  前側主点位置  後側主点位置
1    1     232.12        33.28        12.87         -8.80
2    6     -31.62        31.47         5.70        -15.76
3   14      41.94        38.07        11.63        -20.53
4   28     -61.80         6.80        -2.07         -6.60
5   33     -57.13         4.17         2.02         -0.27
6   36     212.89         3.00        -3.38         -5.17
7   38      67.82        15.43        -1.89        -11.45
【００８８】
単レンズデータ
レンズ  始面  焦点距離
1       1   -247.44
2       2    249.97
3       4    230.44
4       6    -43.64
5       8    -76.86
6      10     38.46
7      12    -49.25
8      15     43.61
9      17     85.07
10      18    -28.91
11      20    -84.95
12      21     31.31
13      23    -35.95
14      24     81.64
15      26     45.79
16      28    -37.86
17      30    -61.45
18      31     39.91
19      33    -34.88
20      34     84.36
21      36    212.89
22      38     56.98
23      40    -53.25
24      41     63.75
【００８９】
[数値データ４]
単位 mm
面データ
面番号       r        d      nd         νd       有効径
1        262.121    4.00   1.88300    40.8      100.11
2        107.634   14.97   1.43875    94.9       93.60
3       -586.942    0.20                         92.20
4        105.860   11.24   1.59522    67.7       88.12
5       1676.395  (可変)                         87.31
6*      1730.613    3.00   1.85400    40.4       56.67
7         35.999   11.20                         44.79
8        -91.255    2.40   1.77250    49.6       44.23
9        105.237    0.15                         42.70
10         65.450   10.15   1.84666    23.9       42.63
11        -55.352    0.91                         41.78
12        -46.979    2.20   1.88300    40.8       40.90
13       2712.284  (可変)                         39.50
14(絞り)    ∞       1.20                         30.25
15         31.387    8.08   1.64769    33.8       32.05
16       -180.896    3.41                         31.23
17*       115.110    3.69   1.58313    59.4       28.58
18        -80.846    1.40   1.85478    24.8       27.84
19         34.198    0.58                         26.53
20         40.238    1.40   1.80809    22.8       26.57
21         23.986    7.59   1.60311    60.6       26.05
22        -49.376    2.00                         25.99
23*       -94.167    1.50   1.76802    49.2       24.80
24         24.485    2.95   1.80809    22.8       24.15
25         44.074    2.00                         23.94
26         45.900    4.53   1.72916    54.7       24.35
27        -84.102  (可変)                         24.11
28        -67.041    1.20   1.88300    40.8       21.15
29*        48.649    1.04                         20.94
30        343.062    1.20   1.69680    55.5       20.96
31       -528.526    2.74   1.85478    24.8       21.07
32        -54.668  (可変)                         21.68
33*       -45.653    1.60   1.55332    71.7       29.72
34         51.673    2.58   1.85478    24.8       31.58
35         95.270  (可変)                         31.78
36         42.910    6.68   1.55332    71.7       34.92
37*      -101.352    0.20                         34.97
38         65.123    1.80   1.90366    31.3       35.07
39         41.746    6.80   1.43875    94.9       34.30
40       -137.057  (可変)                         34.22
41        216.940    2.00   1.77250    49.6       33.57
42         59.030  (可変)                         32.98
像面        ∞   
【００９０】
非球面データ
第6面
K = 0.00000e+000  A 4= 6.78636e-007  A 6= 1.96150e-011  A 8=-3.97376e-013  A10= 4.34866e-016  
第17面
K = 0.00000e+000  A 4=-1.06337e-005  A 6=-4.50546e-009  A 8= 5.44202e-012  A10= 1.19397e-014  
第23面
K = 0.00000e+000  A 4= 2.25162e-006  A 6=-3.94606e-010  A 8= 3.95727e-012  A10=-1.01048e-014  
第29面
K = 0.00000e+000  A 4=-3.26298e-006  A 6=-2.21892e-009  A 8= 1.95895e-011  A10=-6.34819e-014  
第33面
K = 0.00000e+000  A 4= 7.07821e-006  A 6= 8.61995e-010  A 8= 2.77509e-011  A10=-6.90370e-014  
第37面
K = 0.00000e+000  A 4= 8.11259e-006  A 6= 6.27590e-010  A 8=-2.50142e-013  A10=-4.53790e-015  
【００９１】
各種データ
ズーム比    18.85 
広角     中間     望遠
焦点距離      28.81   136.01   543.20  
Fナンバー      3.43     5.06     6.30  
半画角（度）  36.90     9.04     2.28  
像高          21.64    21.64    21.64  
レンズ全長   286.77   338.08   389.39  
BF            39.99    62.48    69.14  
d 5            1.67    74.73   123.33  
d13           93.55    32.20     2.97  
d27            3.00    10.28     6.91  
d32            3.48    16.10    53.46  
d35           10.17     4.86     3.00  
d40            6.33     8.84     2.00  
d42           39.99    62.48    69.14  
入射瞳位置    60.36   253.97   684.46  
射出瞳位置   -81.87   -82.84  -119.24  
前側主点位置  82.36   262.68  -338.69  
後側主点位置  11.17   -73.54  -474.06  
【００９２】
ズームレンズ群データ
群  始面    焦点距離  レンズ構成長  前側主点位置  後側主点位置
1    1     188.58        30.41        12.42         -7.42
2    6     -31.11        30.01         4.93        -15.49
3   14      45.24        40.34        10.32        -23.69
4   28     -80.74         6.19        -4.21         -8.55
5   33     -65.04         4.18         1.02         -1.37
6   36      42.45        15.48         2.47         -7.96
7   41    -105.56         2.00         1.56          0.42
【００９３】
単レンズデータ
レンズ  始面  焦点距離
1       1   -209.37
2       2    208.68
3       4    189.33
4       6    -43.08
5       8    -62.93
6      10     36.84
7      12    -52.28
8      15     41.92
9      17     82.01
10      18    -27.96
11      20    -76.43
12      21     27.85
13      23    -25.16
14      24     63.86
15      26     41.33
16      28    -31.77
17      30    298.72
18      31     71.14
19      33    -43.55
20      34    128.60
21      36     55.40
22      38   -133.58
23      39     73.79
24      41   -105.56
【００９４】
【表１】
2017134302.tif 000004
【符号の説明】
【００９５】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
Ｌ７  第７レンズ群    ＬＲ  後群
Ｌ３Ａ  第３Ａ群      Ｌ３Ｂ  第３Ｂ群      Ｌ３Ｃ  第３Ｃ群
【図１】
2017134302.tif 000005
【図２】
2017134302.tif 000006
【図３】
2017134302.tif 000007
【図４】
2017134302.tif 000008
【図５】
2017134302.tif 000009
【図６】
2017134302.tif 000010
【図７】
2017134302.tif 000011
【図８】
2017134302.tif 000012
【図９】
2017134302.tif 000013
【図１０】
2017134302.tif 000014
【図１１】
2017134302.tif 000015
【図１２】
2017134302.tif 000016
【図１３】
2017134302.tif 000017
【図１４】
2017134302.tif 000018
【図１５】
2017134302.tif 000019
【図１６】
2017134302.tif 000020
【図１７】
2017134302.tif 000021
【図１８】
2017134302.tif 000022